(57)【要約】【課題】前もって使用条件を設定しなくても、テレビジョン受信機の盗難や不正使用を抑止できるテレビジョン受信機の盗難抑止システムを提供する。【解決手段】放送装置では、テレビジョン受信機の受信機識別情報からなる盗難受信機の識別情報を放送コンテンツに重畳して送信する。テレビジョン受信機では、テレビジョン受信機を識別するための受信機識別情報を記憶する記憶手段、前記放送装置が放送する放送コンテンツから盗難受信機の識別情報を抽出する盗難情報受信手段、前記記憶手段に記憶した受信機識別情報と、前記盗難情報受信手段が抽出した盗難受信機の識別情報の一致を判定する盗難情報判定手段、前記盗難情報判定手段が一致と判定した場合、電源を強制的に遮断する制御手段を備えている。【選択図】図１
2011130039.tif 000002
【特許請求の範囲】
【請求項１】
テレビジョン受信機の受信機識別情報からなる盗難受信機の識別情報を放送コンテンツに重畳して送信する放送装置と、
テレビジョン受信機を識別するための受信機識別情報を記憶する記憶手段、前記放送装置が放送する放送コンテンツから盗難受信機の識別情報を抽出する盗難情報受信手段、前記記憶手段に記憶した受信機識別情報と、前記盗難情報受信手段が抽出した盗難受信機の識別情報の一致を判定する盗難情報判定手段、前記盗難情報判定手段が一致と判定した場合、電源を強制的に遮断する制御手段を備えるテレビジョン受信機により構成されるテレビジョン受信機の盗難抑止システム。
【請求項２】
前記制御手段は、前記盗難情報判定手段が一致と判定した場合、電源の遮断に替えて、当該テレビジョン受信機の機能に制限を加えることを特徴とする請求項１に記載のテレビジョン受信機の盗難抑止システム。
【請求項３】
前記制御手段は、前記盗難情報判定手段が一致と判定した場合、当該テレビジョン受信機が盗品である旨を報知することを特徴とする請求項１または２に記載のテレビジョン受信機の盗難抑止システム。
【発明の詳細な説明】
【技術分野】
【０００１】
本発明は、テレビジョン受信機の盗難抑止システムに関する。
【背景技術】
【０００２】
テレビジョン受信機の盗難防止には、受信機を固定金具で固定したり、監視カメラで受信機を監視して、異常事態を電話やメールにより所有者に通告したり、遠隔操作により表示機能を停止するようにしている。
【０００３】
また、類似商品であるプロジェクタの盗難防止には、特許文献１のような手法が取られている。特許文献１では、プロジェクタに予め使用範囲が設定され、使用時の現在位置が当該使用範囲でない場合、管理装置と通信して、通信が成立したときにプロジェクタ機能を動作させ、通信が成立しないときにはプロジェクタ機能を停止させて、プロジェクタの不正使用を防止している。
【先行技術文献】
【特許文献】
【０００４】
【特許文献１】特開２００９−１０９９４０号公報
【発明の概要】
【発明が解決しようとする課題】
【０００５】
しかし、固定金具を使用する場合には、壁、家具や床などに傷がつくし、さらに、移動の際には金具の取り外しや移動先での付け直しが必要であるという問題がある。
また、監視カメラによる監視の場合には、外部から監視カメラなどで認識したりするため、複雑な処理が必要であるという問題がある。
【０００６】
また、特許文献１のような手法では、個々の装置に適切な使用範囲を登録する必要があるが、出荷途中や倉庫等に保管中のように装置を移動させるたびにすべての装置の登録内容を設定しなおすのは困難である。
【０００７】
本発明は、上述のような実情を考慮してなされたものであって、前もって使用条件を設定しなくても、テレビジョン受信機の盗難や不正使用を抑止できるテレビジョン受信機の盗難抑止システムを提供することを目的とする。
【課題を解決するための手段】
【０００８】
上記の課題を解決するために、本発明のテレビジョン受信機の盗難抑止システムは、放送装置とテレビジョン受信機とを、次のように構成する。
【０００９】
放送装置は、テレビジョン受信機の受信機識別情報からなる盗難受信機の識別情報を放送コンテンツに重畳して送信する。
【００１０】
テレビジョン受信機は、当該テレビジョン受信機を識別するための受信機識別情報を記憶する記憶手段、前記放送装置が放送する放送コンテンツから盗難受信機の識別情報を抽出する盗難情報受信手段、前記記憶手段に記憶した受信機識別情報と、前記盗難情報受信手段が抽出した盗難受信機の識別情報の一致を判定する盗難情報判定手段、前記盗難情報判定手段が一致と判定した場合、電源を強制的に遮断する制御手段を備えている。
【００１１】
また、前記制御手段は、前記盗難情報判定手段が一致と判定した場合、当該テレビジョン受信機が盗品である旨を報知した後に、（１）電源を強制的に遮断したり、（２）電源の遮断に替えて、当該テレビジョン受信機の機能に制限を加えるようにしてもよい。
【発明の効果】
【００１２】
本発明によれば、使用者がテレビジョン受信機を入手した後だけでなく、例えばテレビジョン受信機を工場等から輸送しているときや、倉庫等で保管しているときに、テレビジョン受信機が盗まれた場合でも、盗まれたテレビジョン受信機を停止したり機能制限したりできる。
【００１３】
その結果、停止するテレビジョン受信機、または、機能制限されるテレビジョン受信機は市場に流通しないので、盗難や不正使用をより強力に抑止できる。
【図面の簡単な説明】
【００１４】
【図１】本発明の実施形態に係るテレビジョン受信機の盗難抑止システムの一例を示す概略構成図である。
【図２】本発明の盗難抑止システムで用いるテレビジョン受信機の動作を説明するフローチャートである。
【発明を実施するための形態】
【００１５】
以下、図面を参照して本発明のテレビジョン受信機の盗難抑止システムに係る実施形態を説明する。
【００１６】
まず、本発明の盗難抑止システムについて概略説明する。
テレビジョン受信機の製造工程で、受信機識別情報をテレビジョン受信機内のメモリに書き込むとともに、放送コンテンツに特別に重畳された盗難受信機の識別情報（以下、盗難情報という）を取り出して、メモリに記憶された受信機識別情報と同じであるかを判定し、同じであるときには当該テレビジョン受信機の停止あるいは機能制限を行う等の機能を持つ制御手段を組み込んでおく。
【００１７】
次に、テレビジョン受信機の製造メーカ、問屋および販売店といったテレビジョン受信機の流通に関わる者は、テレビジョン受信機が自らの管理下にある期間、テレビジョン受信機の受信機識別情報を管理しておく。
【００１８】
テレビジョン受信機が使用者に販売されるより前、例えば、保管中、輸送中、あるいは陳列展示中などに盗まれた場合、その時点のテレビジョン受信機の管理責任者、例えば製造メーカ、問屋、販売店などは、盗まれたテレビジョン受信機の受信機識別情報を盗難情報として放送局に通知する。
また、販売された後にテレビジョン受信機が盗まれた場合、使用者が販売店等に通知して、販売店等が盗まれたテレビジョン受信機の受信機識別情報を盗難情報として放送局に通知する。
【００１９】
放送局では、通知された盗難情報を通常の放送コンテンツに重畳して放送する。
テレビジョン受信機は、受信した放送コンテンツから重畳された盗難情報を取り出し、メモリに記憶された受信機識別情報と一致するかを判定する。
このテレビジョン受信機が盗品でない場合には、受信機識別情報と盗難情報が一致しないので、通常通りの動作で視聴することができる。
【００２０】
一方、テレビジョン受信機が盗品の場合には、受信機識別情報と盗難情報が一致するので、当該受信機が盗品である旨を使用者に報知し、電源を強制的に切断したり、チャンネルや音量の制御等の機能を抑制する。
【００２１】
このように、本発明を採用したテレビジョン受信機は、盗品の場合、電源が切られたり、または、機能制限される。
【００２２】
次に、本発明の盗難抑止システムについて詳細に説明する。
図１は、本発明の実施形態に係るテレビジョン受信機の盗難抑止システムの一例を示す概略構成図である。
図１において、放送装置１は、通常の放送コンテンツの送信機能に加えて、盗難情報重畳手段２を有して、ＥＰＧ、データ放送、番組といった通常の放送コンテンツに盗まれたテレビジョン受信機３の受信機識別情報（盗難情報という）を重畳し、変調器３で変調して放送する。この盗難情報の放送期間や間隔については別途定めておき、この期間内に放送すべきすべての盗難情報が放送コンテンツに重畳されて放送される。
【００２３】
この重畳の方式は問わないが、例えば、ＶＢＩ（垂直帰線消去期間）や飛び越し走査のアナログ映像信号に重畳する方式や送信デジタル信号中に重畳する方式などを使用する。
【００２４】
図１において、テレビジョン受信機４は、通常の放送コンテンツの受信機能に加えて、盗難情報受信手段５、受信機識別情報記憶手段６、盗難情報判定手段７、制御手段８を備えている。
【００２５】
受信機識別情報記憶手段６は、当該受信機を他のテレビジョン受信機と混同することなく一意に識別できる受信機識別情報を記憶する。この受信機識別情報は、例えば、当該受信機の製造番号や、ネットワークに接続可能とされているときには、イーサネット（登録商標）ポートに割り当てられたＭＡＣアドレスである。また、受信機識別情報記憶手段６は、外部から書き換えることができない記憶装置である。
【００２６】
盗難情報受信手段５は、放送装置１が送信した放送コンテンツに重畳された盗難情報を抽出する。
【００２７】
盗難情報判定手段７は、受信機識別情報記憶手段６に記憶された受信機識別情報を読み出し、盗難情報受信手段５が抽出した盗難情報と一致するか否かを判定し、一致した場合には盗品であることを示す信号を出力し、一致しない場合には盗品でないことを示す信号を出力する。尚、当該受信機が盗品と判定された場合には、盗品であることを示す情報を記憶しておく。
また、盗難情報受信手段５で盗難情報が１つも抽出されなかったとき、以前の判定で盗品と判定されていた場合には、盗品であることを示す信号を出力する。
【００２８】
制御手段８は、盗難情報判定手段７の出力が盗品でないことを示す信号の場合には、当該受信機を通常通りに動作させる。
しかし、盗難情報判定手段７の出力が盗品であることを示す信号の場合には、次の１つ以上の組み合わせを実行する。
（１）当該受信機の電源を強制的に切断する。
（２）当該受信機の機能を停止する。例えば、使用者は当該テレビジョン受信機の電源を入れることはできるが、（４）のような報知以外の機能は動作しない。
（３）当該受信機の機能に制限を加える。例えば、使用者は当該テレビジョン受信機の電源を入れることはできるが、チャンネルや音量の制御等、他の機能が抑制される。
（４）当該受信機が盗品である旨を示すメッセージや映像や音等を使って報知する。この場合には、（１）乃至（３）の実行の前に報知する。
【００２９】
次に、図２のフローチャートに基づいて、本発明のテレビジョン受信機の動作を説明する。
まず、テレビジョン受信機の製造メーカ、問屋、販社、販売店といった流通に関わる者は、テレビジョン受信機が自らの管理下ある期間、テレビジョン受信機と受信機識別情報を同時に盗まれたり失ったりしないように、別々に管理しておく。受信機識別情報は単なるデータなので、受信機本体より低コストで保管することができる。
【００３０】
テレビジョン受信機が使用者に販売されるより前(保管中・輸送中・陳列展示中)に盗まれた場合、その時点での管理責任者は、盗まれたテレビジョン受信機の識別情報を放送局に通知する。
放送局は、通知された受信機識別情報を放送コンテンツに重畳して、予め決められた放送期間や間隔で放送する。
【００３１】
テレビジョン受信機では、放送コンテンツを受信し（ステップＳ１）、重畳された盗難情報を抽出する（ステップＳ２）。
受信機識別情報記憶手段６に記憶された受信機識別情報と、抽出した盗難情報とが一致せず（ステップＳ３のＮＯ）、さらに、前回の判断が盗品でなかった場合（ステップＳ４のＮＯ）、当該テレビジョン受信機を通常通りに動作させる（ステップＳ５）。
【００３２】
一方、当該テレビジョン受信機の受信機識別情報と盗難情報が一致した場合（ステップＳ３のＹＥＳ）、または、前回の判定が盗品であった場合（ステップＳ４のＹＥＳ）、当該テレビジョン受信機が盗品である旨を示すメッセージや映像や音等によって報知し（ステップＳ６）、当該テレビジョン受信機の電源を強制的に切断するか、または、チャンネルや音量の制御等の機能に制限を加える（ステップＳ７）。
【００３３】
以上のように盗難抑止システムを構成すると、使用者がテレビジョン受信機を入手した後だけでなく、例えばテレビジョン受信機を工場等から輸送しているときや、倉庫等で保管しているときに、テレビジョン受信機が盗まれた場合でも、盗まれたテレビジョン受信機を停止したり機能制限したりできる。
【００３４】
このような盗難予防措置が採られることにより、テレビジョン受信機の盗難や不正使用が抑止される。
【００３５】
また、本発明は上述した実施形態に限定されず、本発明の要旨を逸脱しない範囲内で各種の変形、修正が可能であるのは勿論である。
【符号の説明】
【００３６】
１…放送装置、２…盗難情報重畳手段、３…変調器、４…テレビジョン受信機、５…盗難情報受信手段、６…受信機識別情報記憶手段、７…盗難情報判定手段、８…制御手段。
【図１】
2011130039.tif 000003
【図２】
2011130039.tif 000004